(57)【要約】【課題】  本発明はフロアマットとその取付方法に係り、中央フロアパネルにフロアマットを取り付ける際に、固定位置が決まり品質の安定に繋がるフロアマットとその取付方法を提供することを目的とする。【解決手段】  キャブオーバ型トラックのキャブフロアの中央フロアパネルに取り付くフロアマットであって、中央フロアパネルに先付けされたセンターコンソールボックス取付用のレバーブラケットとロアブラケット、並びに当該レバーブラケットに取り付き、オートマチック式トランスミッションのシフトタワーを支持する左右一対のレバーアッシィと、ロアブラケットと中央フロアパネルに開口するワイヤ挿通孔を挿通して上記シフトタワーから中央フロアパネルの裏面側へと仮止めされたコントロールワイヤとに対応して開口部が設けられたフロアマットに於て、上記開口部を、連結片を挟んで隣接する第１と第２の分割開口部で形成すると共に、当該連結片に着脱部材を介して着脱自在なスリットを設け、当該着脱部材の操作で両分割開口部を連通状態と分割状態とに切換え可能とした。【選択図】    図１
2005335601.tif 000002
【特許請求の範囲】
【請求項１】
キャブオーバ型トラックのキャブフロアの中央フロアパネルに取り付くフロアマットであって、
中央フロアパネルに先付けされたセンターコンソールボックス取付用のレバーブラケットとロアブラケット、並びに当該レバーブラケットに取り付き、オートマチック式トランスミッションのシフトタワーを支持する左右一対のレバーアッシィと、ロアブラケットと中央フロアパネルに開口するワイヤ挿通孔を挿通して上記シフトタワーから中央フロアパネルの裏面側へと仮止めされたコントロールワイヤとに対応して開口部が設けられたフロアマットに於て、
上記開口部を、連結片を挟んで隣接する第１と第２の分割開口部で形成すると共に、当該連結片に着脱部材を介して着脱自在なスリットを設け、
当該着脱部材の操作で、第１，第２の分割開口部を連通状態と分割状態とに切換え可能としたことを特徴とするフロアマット。
【請求項２】
キャブオーバ型トラックのキャブフロアの中央フロアパネルに先付けされたセンターコンソールボックス取付用のレバーブラケットとロアブラケット，並びに一対のレバーアッシィを介して支持されたオートマチック式トランスミッションのシフトタワーと、ロアブラケットと中央フロアパネルとに開口するワイヤ挿通孔を挿通してシフトタワーから中央フロアパネルの裏面側へと仮止めされたコントロールワイヤに対応して、フロアマットに、連結片を挟んで隣接する第１，第２の分割開口部を形成すると共に、当該連結片に着脱部材を介して着脱自在なスリットを設け、当該着脱部材の操作で第１，第２の分割開口部を連通させて一つの開口部とし、中央フロアパネルの上方から当該開口部内に前記レバーブラケット，ロアブラケット，レバーアッシィ，シフトタワー，コントロールワイヤを挿通させてフロアマットを中央フロアパネルに被せた後、コントロールワイヤとレバーブラケットとの間に連結片を通してこれを着脱部材で連結することを特徴とするフロアマットの取付方法。
【発明の詳細な説明】
【技術分野】
【０００１】
本発明は、キャブの中央フロアパネルに装着するフロアマットとその取付方法に関する。
【背景技術】
【０００２】
特許文献１に開示されるように、従来、車両のフロアパネル（床面）には起毛生地で形成されたフロアマットが取り付けられており、キャブオーバ型トラックに於ても、ドライバー側とアシスト側の左右のフロアパネルに夫々フロアマットが取り付けられると共に、キャブフロアの中央フロアパネルにもフロアマットが取り付けられている。
ところで、図２乃至図４に示すように、従来、キャブオーバ型トラックの中央フロアパネル１には、その外形形状に沿ってセンターコンソールボックス取付用のレバーブラケット３とロアブラケット５が上下方向に亘って取り付けられており、レバーブラケット３に、オートマチック式トランスミッションのシフトタワー７を支持する左右一対のレバーアッシィ９，１１が固着されている。
【０００３】
そして、レバーブラケット３，ロアブラケット５，レバーアッシィ９，１１に夫々取り付くステー１３，１５，１７，１９を介して、図示しないセンターコンソールボックスが中央フロアパネル１上に取り付けられており、図４に示すようにセンターコンソールボックスの上部にシフトタワー７のシフトレバー２１が前後方向へ操作可能に配置されるようになっている。
【０００４】
また、シフトレバー２１のポジションをトランスミッションに伝えるコントロールワイヤ（図示せず）が、ロアブラケット５と中央フロアパネル１に設けたワイヤ挿通孔２３，２５を挿通してシフトタワー７から中央フロアパネル１の裏面側へと架け渡されており、コントロールワイヤの他端側は中央フロアパネル１の裏面側に仮止めされている。
そして、中央フロアパネル１へのフロアマットの取付けに先立ち、予めレバーブラケット３やロアブラケット５，シフトタワー７，一対のレバーアッシィ９，１１が上述の如く中央フロアパネル１に先付けされ、また、コントロールワイヤがシフトタワー７から中央フロアパネル１の裏面側へと仮止めされて工場に搬入されてくる。
【０００５】
このため、従来、図５に示すように中央フロアパネル１に後付けするフロアマット２７には、先付けされたレバーブラケット３やロアブラケット５，レバーアッシィ９，１１等を避けるため、これらに対応して一つの大きな開口部(透孔)２９が設けられると共に、シフトタワー７から中央フロアパネル１の裏面側へと仮止めされたコントロールワイヤを挿通させる幅狭な開口部３１が開口部２９からフロアマット２７の前方へと設けられている。
【０００６】
而して、フロアマット２７の取付けは、中央フロアパネル１の上方からフロアマット２７を被せて取り付けるが、この場合、先付けされたレバーブラケット３やロアブラケット５，レバーアッシィ９，１１，コントロールワイヤ等を開口部２９，３１内に挿通させてフロアマット２５を中央フロアパネル１に被せ、両面テープ３３を用いて中央フロアパネル１に仮止めしていた。
【０００７】
そして、斯様にフロアマット２７を中央フロアパネル１に仮止めした後、センターコンソールボックスを取り付けて、最終的にフロアマット２７を中央フロアパネル１に確実に固定している。
【特許文献１】特開平８−１１３０７０号公報
【発明の開示】
【発明が解決しようとする課題】
【０００８】
しかし乍ら、この両面テープ３３による取付けは、中央フロアパネル１のどの位置にでも両面テープでフロアマット２７を固定することができる反面、取付位置によってはズレ易く、センターコンソールボックスの取付けの際にフロアマット２７にシワが発生してしまう虞があった。
また、両面テープ３３での固定方法では、フロアマット２７を貼り直そうとすると、両面テープ３３の粘着力が落ちて貼り直しができるなくなる不具合もあった。
【０００９】
本発明は斯かる実情に鑑み案出されたもので、中央フロアパネルにフロアマットを取り付ける際に、固定位置が決まり品質の安定に繋がるフロアマットとその取付方法を提供することを目的とする。
【課題を解決するための手段】
【００１０】
斯かる目的を達成するため、請求項１に係る発明は、キャブオーバ型トラックのキャブフロアの中央フロアパネルに取り付くフロアマットであって、中央フロアパネルに先付けされたセンターコンソールボックス取付用のレバーブラケットとロアブラケット、並びに当該レバーブラケットに取り付き、オートマチック式トランスミッションのシフトタワーを支持する左右一対のレバーアッシィと、ロアブラケットと中央フロアパネルに開口するワイヤ挿通孔を挿通して上記シフトタワーから中央フロアパネルの裏面側へと仮止めされたコントロールワイヤとに対応して開口部が設けられたフロアマットに於て、上記開口部を、連結片を挟んで隣接する第１と第２の分割開口部で形成すると共に、当該連結片に着脱部材を介して着脱自在なスリットを設け、当該着脱部材の操作で、第１，第２の分割開口部を連通状態と分割状態とに切換え可能としたことを特徴とする。
【００１１】
そして、請求項２に係るフロアマットの取付方法は、キャブオーバ型トラックのキャブフロアの中央フロアパネルに先付けされたセンターコンソールボックス取付用のレバーブラケットとロアブラケット，並びに一対のレバーアッシィを介して支持されたオートマチック式トランスミッションのシフトタワーと、ロアブラケットと中央フロアパネルとに開口するワイヤ挿通孔を挿通してシフトタワーから中央フロアパネルの裏面側へと仮止めされたコントロールワイヤに対応して、フロアマットに、連結片を挟んで隣接する第１，第２の分割開口部を形成すると共に、当該連結片に着脱部材を介して着脱自在なスリットを設け、当該着脱部材の操作で第１，第２の分割開口部を連通させて一つの開口部とし、中央フロアパネルの上方から当該開口部内に前記レバーブラケット，ロアブラケット，レバーアッシィ，シフトタワー，コントロールワイヤを挿通させてフロアマットを中央フロアパネルに被せた後、コントロールワイヤとレバーブラケットとの間に連結片を通してこれを着脱部材で連結することを特徴とする。
【発明の効果】
【００１２】
請求項１に係るフロアマットによれば、中央フロアパネルへの取付けの際に、従来に比しズレが確実に防止されるため、センターコンソールボックスの取付け時にフロアマットにシワが発生することがなくなると共に、連結片を着脱部材で着脱自在にすることでフロアマットの固定位置が一定となるため、品質の安定が図れることとなった。
そして、請求項２に係るフロアマットの取付方法によれば、連結片にスリットを設けてこれを着脱部材で着脱可能としたので、コントロールワイヤが邪魔にならずフロアマットの取付けが容易であると共に、斯様に連結片を着脱部材で着脱自在にすることで、フロアマットの固定位置が一定となって品質の安定が図れる利点を有する。
【発明を実施するための最良の形態】
【００１３】
以下、本発明の実施形態を図面に基づいて詳細に説明する。
図１は請求項１の一実施形態に係るフロアマットの要部拡大平面図を示し、図中、３５は起毛生地で形成されたフロアマットで、当該フロアマット３５は図２の中央フロアパネル１全体を覆う大きさで形成されている。
そして、上記フロアマット３５を中央フロアパネル１に取り付けるに当たり、中央フロアパネル１上には、図２及び図３で既述したようにセンターコンソールボックス取付用のレバーブラケット３やロアブラケット５，シフトタワー７を支持する左右一対のレバーアッシィ９，１１等が先付けされると共に、コントロールワイヤがワイヤ挿通孔２３，２５を挿通してシフトタワー７から中央フロアパネル１の裏面側に仮止めされている。
【００１４】
そこで、図１に示すようにフロアマット３５には、斯かる中央フロアパネル１への取付けの際に、シフトタワー７とこれを支持する左右一対のレバーアッシィ９，１１が挿通可能な略平面視矩形状の第１の分割開口部３７と、帯状（短冊状）の連結片３９を挟んで当該分割開口部３７と隣接する第２の分割開口部４１とで開口部４３が形成されている。
そして、分割開口部４１内にロアブラケット５が収まって、図１に示すその右側縁部４５にロアブラケット５の右側端部の一部が掛止し、そして、当該右側縁部４５からフロアマット３５の前側に形成された舌片４７がロアブラケット５の前側半分を覆うようになっているが、中央フロアパネル１に設けたワイヤ挿通孔２５は当該舌片４７で覆われることなく分割開口部４１内に開口するようになっている。
【００１５】
しかし、図３に示すように中央フロアパネル１には、ワイヤ挿通孔２３，２５を挿通してコントロールワイヤがシフトタワー７から中央フロアパネル１の裏面側に亘って予め仮止めされているため、フロアマット３５を上方から中央フロアパネル１に被せる際に、連結片３９がコントロールワイヤに引っ掛かってしまう。
そこで、図１に示すように本実施形態は、連結片３９の右端側にスリット４９を前後方向に設けると共に、当該スリット４９を挟んでボタン（オス）５１とボタン（メス）５３を装着してあり、フロアマット３５の取付けの際に、図１の二点鎖線で示すようにボタン５１，５３を外して第１，第２の分割開口部３７，４１を連通させて一つの大きな開口部４３として、コントロールワイヤとの引っ掛かりをなくすようにしてある。
【００１６】
そして、フロアマット３５を中央フロアパネル１に被せた後、連結片３９をコントロールワイヤとレバーブラケット３との間に通して、当該連結片３９を引っ張って伸ばし乍ら、ボタン５１，５３を連結することで、フロアマット３５が中央フロアパネル１上に取り付くようになっている。
その他、図１に於て、５５，５７は第１の分割開口部３７の左右に沿って形成されたスリットで、両スリット５５，５７間に上方へ展開可能な舌片５９が設けられている。
【００１７】
本実施形態に係るフロアマット３５は本実施形態に係るフロアマット３５はこのように構成されており、当該フロアマット３５は、請求項２に係る発明方法の一実施形態によって以下の如く取り付けられる。
既述したように、中央フロアパネル１へのフロアマット３５の取付けに先立ち、予めレバーブラケット３やロアブラケット５，シフトタワー７，一対のレバーアッシィ９，１１が中央フロアパネル１に先付けされ、また、コントロールワイヤがシフトタワー７から中央フロアパネル１の裏面側へと仮止めされて工場に搬入されてくる。
【００１８】
そこで、フロアマット３５の取付けに当たり、先ず、図１の二点鎖線で示すようにボタン５１，５３を外し、第１，第２の分割開口部３７，４１を連通させて一つの大きな開口部４３とする。
そして、フロアマット３５を中央フロアパネル１の上方から下ろし乍ら、開口部４３内にレバーブラケット３やロアブラケット５，シフトタワー７を支持する一対のレバーアッシィ９，１１，コントロールワイヤ等を挿通させて、フロアマット３５を中央フロアパネル１に被せる。この時、図１に示す分割開口部４１側の右側縁部４５がロアブラケット５の右側端部の一部に掛止する。
【００１９】
この後、連結片３９の自由端側をコントロールワイヤとレバーブラケット３との間に通して、これを引っ張り乍らボタン５１，５３同士を連結することで、フロアマット３５が中央フロアパネル１上に固定されることとなる。
そして、斯様にフロアマット３５を中央フロアパネル１に固定した後、センターコンソールボックスを取り付けて最終的にフロアマット３５を中央フロアパネル１に確実に固着すればよい。
【００２０】
而して、本実施形態に係るフロアマット３５によれば、分割開口部４１側の右側縁部４５がロアブラケット５の右側端部の一部に掛止し乍ら、ボタン５１，５３が連結されることでフロアマット３５が確実に固定され、両面テープを用いていた従来の取付方法に比しズレが確実に防止されることとなる。
このように本実施形態に係るフロアマット３５によれば、中央フロアパネル１への取付けの際に、従来に比しズレが確実に防止されるため、センターコンソールボックスの取付け時にフロアマット３５にシワが発生することがなくなると共に、ボタン化することでフロアマット３５の固定位置が一定となるため、品質の安定が図れることとなった。
【００２１】
そして、本実施形態に係るフロアマット３５の取付方法によれば、連結片３９にスリット４９を設けてこれをボタン５１，５３で着脱可能としたので、コントロールワイヤが邪魔にならずフロアマット３５の取付けが容易であると共に、斯様にボタン化することでフロアマット３５の固定位置が一定となって品質の安定が図れる利点を有する。
【図面の簡単な説明】
【００２２】
【図１】請求項１の一実施形態に係るフロアマットの要部拡大平面図である。
【図２】レバーブラケットやロアブラケット，レバーアッシィ等が先付けされた中央フロアパネルの斜視図である。
【図３】図２に示す中央フロアパネルの拡大斜視図である。
【図４】図２に示す中央フロアパネルの拡大側面図である。
【図５】従来のフロアマットの要部拡大平面図である。
【符号の説明】
【００２３】
１  中央フロアパネル
３  レバーブラケット
５  ロアブラケット
７  シフトタワー
９，１１  レバーアッシィ
１３，１５，１７，１９  ステー
２１  シフトレバー
２３，２５  ワイヤ挿通孔
３５  フロアマット
３７，４１  分割開口部
３９  連結片
４３  開口部
４５  右側縁部
４７  舌片
４９  スリット
５１，５３  ボタン
【図１】
2005335601.tif 000003
【図２】
2005335601.tif 000004
【図３】
2005335601.tif 000005
【図４】
2005335601.tif 000006
【図５】
2005335601.tif 000007